(57)【要約】【課題】タイトルごと及びストリームに対応して任意の情報を入力できるＨＤＤ搭載型ＤＶＤ記録装置を提供する。【解決手段】第１の外部装置１９から入力されたデジタル音声信号およびデジタル映像信号のそれぞれを順次符号化する符号化手段１１と、少なくとも前記符号化手段により符号化された音声の符号化データおよび映像の符号化データと検索用データとを一定単位毎に順次多重化する多重化手段１２と、前記多重化手段により多重化されたデータを第１の情報記録媒体１４ｍに記録する第１の記録手段１４および第２の情報記録媒体１５ｍに記録する第２の記録手段１５と、第２の外部装置からのユーザ情報を入力する入力手段１３と、前記入力手段に入力されたユーザ情報を、前記第１の記録手段により前記第１の情報記録媒体に記録させるとともに、前記第２の記録手段により前記第２の情報記録媒体に記録させる制御手段１８と、を備える。【選択図】  図６
2010192096.tif 000002
【特許請求の範囲】
【請求項１】
第１の外部装置から入力されたデジタル音声信号およびデジタル映像信号のそれぞれを順次符号化する符号化手段と、
少なくとも前記符号化手段により符号化された音声の符号化データおよび映像の符号化データと検索用データとを一定単位毎に順次多重化する多重化手段と、
前記多重化手段により多重化されたデータを第１の情報記録媒体に記録する第１の記録手段および第２の情報記録媒体に記録する第２の記録手段と、
第２の外部装置からのユーザ情報を入力する入力手段と、
前記入力手段に入力されたユーザ情報を、前記第１の記録手段により前記第１の情報記録媒体に記録させるとともに、前記第２の記録手段により前記第２の情報記録媒体に記録させる制御手段と、を備えたデジタル音声映像情報の記録装置。
【請求項２】
前記ユーザ情報は、前記第１及び第２の情報記録媒体に記録されるデータのタイトルに関連したユーザタイトル情報と、前記第１及び第２の情報記録媒体に記録されるデータのストリームの時間軸に応じて推移する又はストリームの任意点に対応するユーザストリーム情報を含む請求項１記載のデジタル音声映像情報の記録装置。
【請求項３】
前記制御手段は、前記第２の情報記録媒体の記録フォーマットにおいて、ストリーム領域の先頭にユーザ情報記録領域を確保し、ここに前記ユーザ情報を記録する請求項１又は２記載のデジタル音声映像情報の記録装置。
【請求項４】
前記制御手段は、前記ユーザ情報に対応したタイトルが前記第１の情報記録媒体又は前記第２の情報記録媒体から削除されたときは、当該ユーザ情報のポインタデータを書き換え又は移動させる請求項１〜３の何れかに記載のデジタル音声映像情報の記録装置。
【請求項５】
前記第１の情報記録媒体又は第２の情報記録媒体に記録された多重化データを音声信号と映像信号とのそれぞれに復号化する復号化手段と、
前記復号化手段により復号化された音声信号および映像信号、並びに前記第１の情報記録媒体又は第２の情報記録媒体に記録されたユーザ情報を再生する再生手段と、をさらに備えた請求項１〜４の何れかに記載のデジタル音声映像情報の記録装置。
【請求項６】
前記第１の情報記録媒体がハードディスク媒体であり、前記第２の情報記録媒体がＤＶＤ媒体である請求項１〜５の何れかに記載のデジタル音声映像情報の記録装置。
【発明の詳細な説明】
【技術分野】
【０００１】
本発明は、映像信号や音声信号をＤＶＤ媒体やハードディスク媒体に記録するＨＤＤ搭載型ＤＶＤ記録装置に関する。
【背景技術】
【０００２】
近年のＤＶＤ(Digital Versatile Disc)記録再生装置には、ハードディスクドライブ（ＨＤＤ）とＤＶＤドライブの両方が設けられたものが知られており、テレビジョンなどの外部装置から入力される映像信号及び音声信号を、ハードディスク媒体またはＤＶＤ媒体の何れに対しても記録することができ、また一方の媒体に記録した情報を他方の媒体にダビングすることもできるものが開発されている（以下、この種の装置をＨＤＤ搭載型ＤＶＤ記録装置という。特許文献１）。
【０００３】
ところで、従来のＤＶＤ記録装置では、タイトル名を入力又は編集する機能を有するものの、タイトルごと又はストリームに対応した任意情報を付加することはできなかった。
【先行技術文献】
【特許文献】
【０００４】
【特許文献１】特開２００２−１５２６５８号公報
【発明の概要】
【発明が解決しようとする課題】
【０００５】
本発明は、タイトルごと及びストリームに対応して任意の情報を入力できるＨＤＤ搭載型ＤＶＤ記録装置を提供することを目的とする。
【課題を解決するための手段】
【０００６】
上記目的を達成するために、本発明によれば、第１の外部装置から入力されたデジタル音声信号およびデジタル映像信号のそれぞれを順次符号化する符号化手段と、
少なくとも前記符号化手段により符号化された音声の符号化データおよび映像の符号化データと検索用データとを一定単位毎に順次多重化する多重化手段と、
前記多重化手段により多重化されたデータを第１の情報記録媒体に記録する第１の記録手段および第２の情報記録媒体に記録する第２の記録手段と、
第２の外部装置からのユーザ情報を入力する入力手段と、
前記入力手段に入力されたユーザ情報を、前記第１の記録手段により前記第１の情報記録媒体に記録させるとともに、前記第２の記録手段により前記第２の情報記録媒体に記録させる制御手段と、を備えたデジタル音声映像情報の記録装置が提供される。
【発明の効果】
【０００７】
本発明によれば、ユーザタイトル情報（第１及び第２の情報記録媒体に記録されるデータのタイトルに関連した情報）やユーザストリーム情報（第１及び第２の情報記録媒体に記録されるデータのストリームの時間軸に応じて推移する又はストリームの任意点に対応する情報）などのユーザ情報を第２の外部装置から入力手段へ入力し、このユーザ情報を第１の情報記録媒体や第２の情報記録媒体に記録する。これにより、第１の情報記録媒体や第２の情報記録媒体には、音声情報や映像情報以外にユーザが任意に設定できるユーザ情報をたとえばテキストなどのフォーマットで記録することができ、タイトルまたはストリームに対応したユーザ情報を再生することができる。
【図面の簡単な説明】
【０００８】
【図１】本発明のデジタル音声映像情報記録装置の第１及び第２実施形態を示すブロック図である。
【図２】本発明のデジタル音声映像情報記録装置の処理手順を示すフローチャートである。
【図３】本発明のデジタル音声映像情報記録装置の処理タイミングを示すタイミングチャートである。
【図４】本発明のデジタル音声映像情報記録装置の他の処理タイミングを示すタイミングチャートである。
【図５】本発明のデジタル音声映像情報記録装置の第２実施形態に係る記録フラグを示す図である。
【図６】本発明のデジタル音声映像情報記録装置の第３実施形態を示すブロック図である。
【図７】本発明のデジタル音声映像情報記録装置の第３実施形態に係るユーザストリーム情報を記録するためのデータフォーマットの一例を示す図である。
【図８】本発明のデジタル音声映像情報記録装置の第３実施形態に係るハードディスク媒体のワークエリアのデータフォーマットの一例を示す図である。
【図９】本発明のデジタル音声映像情報記録装置の第３実施形態に係るユーザタイトル情報の書き込み、読み出し及び削除処理を説明するための図である。
【図１０】本発明のデジタル音声映像情報記録装置の第３実施形態に係るユーザストリーム情報の書き込み、読み出し及び削除処理を説明するための図である。
【図１１】本発明のデジタル音声映像情報記録装置の第３実施形態に係るＤＶＤ媒体のデータフォーマットの一例を示す図である。
【発明を実施するための形態】
【０００９】
以下、本発明の実施形態を図面に基づいて説明する。
【００１０】
《第１実施形態》  
図１は本発明のデジタル音声映像情報記録装置（以下、単にＤＶＤ記録装置ともいう。）の実施形態を示すブロック図である。本実施形態のＤＶＤ記録装置１００は、テレビ放送などで提供される音声信号および映像信号をリアルタイムで符号化および多重化しながらハードディスク媒体１４ｍ及びＤＶＤ媒体１５ｍに記録し、再生するものであり、記録する際に、ＤＶＤドライブ１５にＤＶＤ媒体１５ｍをセットしたらハードディスク媒体１４ｍへの記録を開始し、ＤＶＤ媒体１５ｍの記録の準備が整ったらハードディスク媒体１４ｍからＤＶＤ媒体１５ｍへリアルタイムでダビングするものである。ただし、音声情報および映像信号の供給源となるものは、テレビ放送にのみ限定されるものではなく、ビデオカメラ、デジタル放送、電話回線による情報交信など、あらゆる供給源からの情報を取り込むことができる。
【００１１】
なお、本例に係るハードディスク媒体１４ｍが本発明の第１の情報記録媒体に相当し、本例に係るＤＶＤ媒体１５ｍが本発明の第２の情報記録媒体に相当し、本例に係るハードディスクドライブ１４が本発明の第１の記録手段に相当し、本例に係るＤＶＤドライブ１５が本発明の第２の記録手段に相当する。
【００１２】
同図に示す符号化手段１１は、図外のデータセレクタ等を介してテレビ受信機などの外部装置から送出されるデジタル音声信号及びデジタル映像信号をそれぞれ符号化するものであり、符号化された音声信号と映像信号は次の多重化手段１２へ送出され、この多重化手段１２にて、たとえば１ＧＯＰ(Group of Pictures)ごとに多重化される。また、この多重化時に、ＤＶＤビデオ規格に準拠したナビゲーションパックデータの生成も行い、これらをＤＶＤビデオストリームとしてハードディスク媒体１４ｍに記録する。なお、符号化手段１１及び多重化手段１２は、たとえばＭＰＥＧ２エンコーダプロセッサやＳＤＲＡＭなどの電子部品を用いて具体化することができる。
【００１３】
ＭＰＥＧ２エンコーダ等により校正される多重化手段１２にて生成されたＤＶＤストリームデータは、ストレージインターフェース１３を介して本発明の第１の記録手段であるハードディスクドライブ１４にてハードディスク媒体１４ｍに記録される。ストレージインターフェース１３は、ハードディスクドライブ１４のハードディスク媒体１４ｍにデータを記録するとともに、当該ハードディスク媒体１４ｍに記録されたデータを読み出し、ＤＶＤドライブ１５のＤＶＤ媒体１５ｍや、これらを再生するための復号化手段１６に送出する。また、多重化手段１２にて生成されたＤＶＤストリームデータは、ストレージインターフェース１３を介して本発明の第２の記録手段であるＤＶＤドライブ１５にてＤＶＤ媒体１５ｍに記録されることもある。
【００１４】
ハードディスク媒体１４ｍやＤＶＤ媒体１５ｍに記録されたデータを再生する際には、ストレージインターフェース１３を介して図外の再生用ＦＩＦＯメモリに一時的に保存し、このデータを、ＭＰＥＧ２デコーダプロセッサなどで構成された復号化手段１６に送出する。
【００１５】
ＭＰＥＧ２デコーダプロセッサなどで構成された復号化手段１６では、ＤＶＤストリームデータをデジタル音声信号とデジタル映像信号とに復号化し、さらに必要に応じてこれらデジタル音声信号とデジタル映像信号をデジタル／アナログ変換器によってアナログ音声信号とアナログ映像信号とに復号し、ＴＶモニタなどで構成される再生手段１７に送出し、ここで再生する。
【００１６】
本例に係る制御手段１８は、ＤＶＤドライブ１５にＤＶＤ媒体１５ｍが装着されたことを検出したら、多重化手段１２により多重化されたデータを一定単位毎にハードディスクドライブ１４によりハードディスク媒体１４ｍに順次記録させる。また、この一定単位毎の記録処理の間に、ハードディスクドライブ１４によりハードディスク媒体１４ｍに先ほど記録したデータを読み出してＤＶＤドライブ１５によりＤＶＤ媒体１５ｍに記録させる。この処理をストレージインターフェース１３に対して実行させる。
【００１７】
次に、この制御手段１８における処理手順を図２のフローチャート及び図３のタイミングチャートを参照しながら説明する。
【００１８】
まず、ＤＶＤ記録装置１００のメインスイッチが入力されると、初期化（ステップＳ１）ののちに、自己診断が実行され（ステップＳ２）、自己診断の結果がエラーの場合はそのままエラー表示をするなどしてこのルーチンを終了する（ステップＳ３→Ｓ４）。ステップＳ３において自己診断結果に異常が確認されなかった場合はステップＳ５へ進み、復旧の有無を確認する。その結果、復旧が必要である場合にはステップＳ６へ進み、ＤＶＤ媒体１５ｍがＤＶＤドライブ１５に挿入されているかどうかを確認し、挿入されているときはステップＳ７にて復旧処理を実行したのちステップＳ８へ進む。この復旧処理については、第２実施形態で詳述する。ステップＳ６においてＤＶＤドライブ１５にＤＶＤ媒体１５ｍが挿入されていないときは復旧処理を行わないでステップＳ８へ進む。
【００１９】
以上の処理を終了したら、ＤＶＤドライブ１５のトレイを開き（ステップＳ８）、ＤＶＤ媒体１５ｍが挿入されたら（ステップＳ９）、トレイを閉じる（ステップＳ１０）。これ以後、テレビ受信機などの外部装置からの音声信号及び映像信号をハードディスク媒体１４ｍに記録することを許可する。この処理については後述する。
【００２０】
次いで、ＤＶＤドライブ１５にＤＶＤ媒体１５ｍが物理的に挿入されたかどうかを確認し（ステップＳ１１）、ＤＶＤ媒体１５ｍが確認されなかったらこのルーチンを終了する（ステップＳ１２）。ステップＳ１１にてＤＶＤ媒体１５ｍが確認されたら、ステップＳ１３へ進んでＤＶＤ媒体１５ｍの種類を確認し、書き込み不可能なＤＶＤ媒体であるときはエラー表示をしてこのルーチンを終了する（ステップＳ２３）。
【００２１】
ステップＳ１３にてＤＶＤ媒体１５ｍが書き込み可能なＤＶＤ媒体、たとえばＤＶＤ＋ＲＷなどであるときは、当該ＤＶＤ記録装置１００に対するユーザの指令が「記録」であるか「再生」であるかを確認し（ステップＳ１４）、再生指令であるときはステップＳ１５へ進む。
【００２２】
ステップＳ１５にて再生指令のドライブがハードディスクドライブ１４かＤＶＤドライブ１５かを確認し、ハードディスクドライブ１４であるときはハードディスク媒体１４ｍのコンテンツを再生したのち（ステップＳ２０）、ルーチンを終了する（ステップＳ２１）。一方、ステップＳ１５において再生指令のドライブがＤＶＤドライブ１５であるときは、ＤＶＤ媒体１５ｍのコンテンツを再生したのち（ステップＳ１８）、ルーチンを終了する（ステップＳ１９）。
【００２３】
ステップＳ１４に戻り、ＤＶＤ記録装置１００に対するユーザの指令が「記録」であるときは、ステップＳ２２へ進んでＤＶＤ媒体１５ｍの記録残量を確認し、記録残量がないときはエラーを表示してルーチンを終了する（ステップＳ２３）。ステップＳ２２において記録残量があるときは、次のステップＳ２４においてＤＶＤ媒体１５ｍがフォーマット済みであるかどうかを確認する。
【００２４】
ステップＳ２４においてＤＶＤ媒体１５ｍが未フォーマットであるときはステップＳ２５へ進んでフォーマットを実行する一方で、フォーマット済みであるときはステップＳ２６へ進んで記録されたテーブルを読み込み、次のステップＳ２７にて試し書き（ＯＰＣ）を実行する。
【００２５】
ステップＳ１４におけるユーザの指令が「記録」であるときは、ＤＶＤ媒体１５ｍを挿入したステップＳ９から上記ステップＳ２５のフォーマット又はステップＳ２７の試し書きまでの処理を実行することにより、ＤＶＤ媒体１５ｍへの記録の準備が完了するが、このステップＳ９からステップＳ２５又はＳ２７までの間に、外部装置から入力される音声信号及び映像信号はＤＶＤ媒体１５ｍには記録できない。
【００２６】
このため、既述したようにステップＳ９にてＤＶＤ媒体１５ｍが挿入され、ステップＳ１０にてトレイを閉じたら、これ以後は、テレビ受信機などの外部装置からの音声信号及び映像信号をハードディスク媒体１４ｍに記録することを許可する。そして、ＤＶＤ記録装置１００に対してユーザから「ＤＶＤ媒体への記録」指令が入力されているときは、ＤＶＤ媒体１５ｍへの記録準備が整う前であっても、ハードディスク媒体１４ｍへ記録を開始する。
【００２７】
この処理を図３のタイミングチャートを参照しながら説明する。
【００２８】
まず、同図に示す初期フェーズｔ１において外部装置からの音声信号及び映像信号を、図１に示す符号化手段１１及び多重化手段１２により符号化及び多重化し、ストレージインターフェース１３を介してハードディスクドライブ１４のハードディスク媒体１４ｍにリアルタイムで記録し始める。このハードディスク媒体１４ｍへの記録は、所定の間隔、たとえば３秒周期で０．５秒間（たとえば３．７５ＭＢずつ）実行する。
【００２９】
図２におけるステップＳ２５又はＳ２７の処理が完了してＤＶＤ媒体１５ｍへの記録が準備できたら、上記ハードディスク媒体１４ｍへの書き込み処理の間の時間、すなわち２．５秒間（３秒周期−０．５秒）のうちのたとえば０．５秒間を使って、それまでにハードディスク媒体１４ｍに記録したデータを読み込み、残りの時間のうちのたとえば１．７秒間を使って、今読み込んだデータをＤＶＤ媒体１５ｍへ記録する。この処理は、図１に示す制御手段１８からハードディスクドライブ１４へ読み出し指令を送出し、ストレージインターフェース１３を介してＤＶＤドライブ１５へ書き込み指令を送出することにより行う。
【００３０】
以上の、外部装置からハードディスク媒体１４ｍへの書き込み、ハードディスク媒体１４ｍからデータの読み込み、ＤＶＤ媒体１５ｍへのデータの書き込みという一連の処理を、３秒の周期を使用して繰り返し実行する。
【００３１】
図３に示すように、ハードディスク媒体１４ｍに書き込んだデータの全てをＤＶＤ媒体１５ｍへダビングするのが終了する前に、外部装置からの入力が終了したら、外部装置からハードディスク媒体１４ｍへの書き込み処理が不要となるので、それ以後のハードディスク媒体からのデータの読み込み処理及びＤＶＤ媒体１５ｍへのデータの書き込み処理の容量を、それまでの５ＭＢからたとえば６ＭＢにそれぞれ増加させると、それ以後のダビング時間が短縮されることになる。
【００３２】
また、ＤＶＤ媒体１５ｍへのダビングが開始されたら、当該ＤＶＤ媒体１５ｍに記録したデータの再生が可能となるが（いわゆる追っかけ再生）、その場合には、ハードディスク媒体１４ｍからのデータの読み込み処理とＤＶＤ媒体１５ｍへの書き込み処理に加えて、ＤＶＤ媒体１５ｍからのデータの読み込み処理が加わるので、再び３秒間の周期の中でこれらの処理時間を割り当てる。同図に示す例では、ハードディスク媒体１４ｍからのデータの読み込み処理を０．２秒（２ＭＢ）、ＤＶＤ媒体１５ｍへの書き込み処理を１．２秒（２ＭＢ）、ＤＶＤ媒体１５ｍからのデータの読み込み処理を１．２秒（１．８７５ＭＢ×２）としている。
【００３３】
なお、外部装置からハードディスク媒体１４ｍへの書き込み処理は、たとえば３．７５ＭＢの容量ずつ実行する一方で、ハードディスク媒体１４ｍからＤＶＤ媒体１５ｍへのダビング処理は、これより大きいたとえば５ＭＢの容量で実行するので、図４に示すように、外部装置からの入力が終了する前にダビング処理が、外部装置からハードディスク媒体１４ｍへの書き込み処理に追いつくこともある。この場合には、そのままハードディスク媒体１４ｍへの書き込み処理を続行してもよいし、同図に示すように外部装置からハードディスク媒体１４ｍへの書き込み処理に代えてＤＶＤ媒体１５ｍへ直接書き込む処理を行ってもよい。
【００３４】
以上の処理が図２に示すステップＳ２８〜Ｓ３０のストリーム転送、記録ストップ及び残ストリーム転送の処理である。このように、ＤＶＤ媒体１５ｍの記録準備が整う前であっても、外部装置からの音声信号と映像信号を一旦ハードディスク媒体１４ｍへ記録し、これを記録処理の間の時間を使って順次ＤＶＤ媒体へダビングするので、全てのデータをＤＶＤ媒体へ記録することができる。また、ハードディスク媒体１４ｍには外部装置から入力されるデータが全て記録されているので、何らかの原因によりＤＶＤ媒体１５ｍへのダビングに失敗したときであっても、そのデータを再度読み出して記録することができる。
【００３５】
そして、外部装置からの入力が終了し、ハードディスク媒体１４ｍからＤＶＤ媒体１５ｍへのダビング処理が終了し、ユーザがＤＶＤドライブ１５のトレイを開ける指示を入力したら（ステップＳ３１）、そのタイミングで、いま記録したストリームのテーブルやメニューを当該ＤＶＤ媒体１５ｍのテーブル領域に記録し（ステップＳ３２）、最後にトレイを開いてＤＶＤ媒体１５ｍを取出可能とする（ステップＳ３３）。なお、テーブル情報やメニュー情報はＤＶＤ媒体１５ｍをＤＶＤドライブ１５から取り出すタイミングでなくても書き込むことができるが、こうすることで次の記録を連続して実行する場合などにおいて、テーブル情報等の書き込みに要する時間を記録処理に使用することができる。
【００３６】
なお、図２のフローチャートには示していないが、外部装置からの音声信号と映像信号をハードディスク媒体１４ｍやＤＶＤ媒体１５ｍに記録している途中で、ハードディスク媒体１４ｍ及び／又はＤＶＤ媒体１５ｍの記録残量がなくなった場合や何れかのドライブ１４，１５や媒体１４ｍ，１５ｍにエラーが発生した場合には、その媒体のセッションをクローズし、記録を終了させるが、他方の媒体への記録は継続して行う。これにより、後で他方から一方へのダビングを可能とする。
【００３７】
《第２実施形態》
本発明の第２実施形態に係るＤＶＤ記録装置１００は、基本的には上述した第１実施形態に係るＤＶＤ記録装置１００と同様に、外部装置からの音声信号と映像信号をハードディスク媒体１４ｍに記録し、この記録処理の間の時間を使用してＤＶＤ媒体１５ｍへのダビング処理を行うものであるが、記録の開始時、ハードディスク媒体のみへの記録時、ハードディスク媒体からＤＶＤ媒体へのダビング時、セッションクローズ時のそれぞれのフェーズにおいて、ＤＶＤ記録装置の電源が遮断されたとき、次に電源が供給されたら今まで記録した状態に続けて記録処理を普及させる処理を含むものである（図２のステップＳ７参照）。
【００３８】
すなわち、図１に示すブロック図において、本例に係る制御手段１８は、多重化手段１２により多重化されたデータを一定単位毎にハードディスクドライブ１４によりハードディスク媒体１４ｍに順次記録させるとともに、この一定単位毎の記録処理の間に、ハードディスクドライブ１４によりハードディスク媒体１４ｍに記録したデータを読み出してＤＶＤドライブ１５によりＤＶＤ媒体に記録させるＤＶＤ記録装置１００であって、その記録状態、具体的には記録の開始時、ハードディスク媒体のみへの記録時、ハードディスク媒体からＤＶＤ媒体へのダビング時、セッションクローズ時といった記録状態をハードディスク媒体１４ｍに記録し、記録途中で異常が発生してそれが復旧したときは、このハードディスク媒体１４ｍに記録された記録状態に基づいてＤＶＤ媒体１５ｍへの記録を復旧させる。
【００３９】
具体的には、ＤＶＤ記録装置１００の電源が遮断されたときのタイミングを監視するために、記録ステータスフラグをハードディスク媒体１４ｍに保持する。図５に記録フラグの一例を示すが、この例ではステータスフラグ０〜１０の１１状態を識別することができる。
【００４０】
このように、各記録ステータスフラグをハードディスク媒体１４ｍに保持することで、ダビング途中で電源遮断等の異常が発生してもそれが復旧したときは、ハードディスク媒体１４ｍに保持しておいた記録ステータスフラグに基づいて、中断した処理途中から処理を再開することができる。これにより、こうした異常時に最初からダビングを再開する必要がなくなる。
【００４１】
なお、ハードディスク媒体１４ｍに保持させておくステータスフラグとしては、上述した外部装置からの記録処理だけでなく、たとえばタイトル削除、タイトル名編集、媒体名編集、タイトル保護設定などのＤＶＤ媒体１５ｍに対する編集処理について行うこともできる。この場合、ビデオマネージャ（ＶＭＧ＝Video Manager；ＤＶＤ−Ｖｉｄｅｏ規格で定義された媒体全体に関する情報を有するテーブル）、ビデオタイトルセット（ＶＴＳ＝Video Title Set；ＤＶＤ−Ｖｉｄｅｏ規格及び＋ＶＲ規格で定義されたタイトルに関する情報を有するテーブル）、ビデオレコーディングマネージャインフォメーション（ＶＲＭＩ＝Video Recording Manager Information；＋ＶＲ規格で定義されたタイトルに関する情報を有するテーブル）などのテーブル情報をハードディスク媒体１４ｍのワークエリアに展開し、編集結果をハードディスク媒体１４ｍに保持するとともに、その情報をハードディスクワークエリアへ書き込む際に、更新状態をハードディスクワークエリア操作フラグで保持する。そして、ＤＶＤ記録装置１００の電源遮断が発生して再度電源が投入されたら、ハードディスクワークエリア操作フラグによりテーブル情報の更新状態を検出し、編集処理の復旧を行うかどうかを判断し、復旧する場合には電源遮断が発生した手前までのＤＶＤ媒体情報を復旧させる。
【００４２】
《第３実施形態》
図６は本発明のＤＶＤ記録装置の第３実施形態を示すブロック図である。本実施形態のＤＶＤ記録装置１００は、テレビ放送などで提供される音声信号および映像信号をリアルタイムで符号化および多重化しながらハードディスク媒体１４ｍ及びＤＶＤ媒体１５ｍに記録し、再生可能とするものであり、記録する際にユーザが自由に入力できるユーザ情報を多重化データに関連付けて記録し、これを再生したときにユーザ情報も再生することができるものである。ただし、音声情報および映像信号の供給源となるものは、テレビ放送にのみ限定されるものではなく、ビデオカメラ、デジタル放送、電話回線による情報交信など、あらゆる供給源からの情報を取り込むことができる。
【００４３】
ちなみに、ＤＶＤビデオ規格で定義された、ナビゲーションパックで始まり整数個のＧＯＰ(Group of pictures；ＭＰＥＧ２規格で定義された、単独で再生可能な画像の最小単位)を含むユニットをＶＯＢＵ(Video Object Unit)と称し、複数のＶＯＢＵが集合して一つのチャプタ（たとえば一つのまとまりのシーン）を構成し、複数のチャプタが集合して一つのタイトル（たとえば一本の映画）を構成するが、本例のユーザ情報は、タイトル毎に関連付けて記録することも、またＶＯＢＵ単位やチャプタ単位で関連付けて記録することもできる。
【００４４】
図６に示す符号化手段１１、多重化手段１２、ストレージインターフェース１３、ハードディスクドライブ１４、ＤＶＤドライブ１５、復号化手段１６及び再生手段１７の各構成は、上述した第１実施形態と同じであるため、その詳細な説明は省略する。
【００４５】
本例に係るＤＶＤ記録装置１００では、第２の外部装置１９がストレージインターフェース１３にたとえばＲＳ２３２Ｃシリアルインターフェースで接続され、所望のユーザ情報をＤＶＤ記録装置１００に入力する。
【００４６】
本例のユーザ情報にはユーザタイトル情報とユーザストリーム情報が含まれる。
【００４７】
ユーザタイトル情報とは、ハードディスク媒体１４ｍやＤＶＤ媒体１５ｍに記録されるタイトルに関連付けられた個別情報であって、タイトルの名前、ＩＤ、タイトル固有のテキスト情報などである。
【００４８】
また、ユーザストリーム情報とは、データのストリームの時間軸に応じて推移する情報又はストリームの任意点に対応する情報であって、チャプタやＶＯＢＵに関連付けられた個別情報、たとえばチャプタやＶＯＢＵの名前、ＩＤ、又はこれらの固有のテキスト情報である。
【００４９】
ユーザタイトル情報はデータのストリームの時間軸に対応付けて記録する必要はないが、ユーザストリーム情報はそのストリームのＶＯＢＵアドレスに対応付けて記録する必要がある点が相違する。図７はユーザストリーム情報を記録するためのデータフォーマットの一例を示す図であり、複数のＶＯＢＵデータ（たとえば５１２バイト）からなるタイトルに対し、目的とするユーザストリーム情報は対応するＶＯＢＵのＶＯＢＵ先頭アドレスとともに記録される（たとえば２５６バイト）。
【００５０】
本例の制御手段１８は、第２の外部装置１９から入力された、こうしたユーザ情報を、一旦ハードディスク媒体１４ｍに記録し、ＤＶＤドライブ１５のトレイを開いてＤＶＤ媒体１５ｍを取り出す際に当該ユーザ情報をＤＶＤ媒体１５ｍに記録する。
【００５１】
図８はハードディスク媒体１４ｍのワークエリアのデータフォーマットの一例を示す図であり、ここにワークエリアの更新領域（たとえば５１２バイト）や、ビデオマネージャ（ＶＭＧ＝Video Manager；ＤＶＤ−Ｖｉｄｅｏ規格で定義された媒体全体に関する情報を有するテーブル）、ビデオタイトルセット（ＶＴＳ＝Video Title Set；ＤＶＤ−Ｖｉｄｅｏ規格及び＋ＶＲ規格で定義されたタイトルに関する情報を有するテーブル）、ビデオレコーディングマネージャインフォメーション（ＶＲＭＩ＝Video Recording Manager Information；＋ＶＲ規格で定義されたタイトルに関する情報を有するテーブル）などのテーブル情報とともに、ユーザタイトル情報とユーザストリーム情報を展開する。
【００５２】
なお、ビデオマネージャＶＭＧ，ビデオタイトルセットＶＴＳ，ビデオレコーディングマネージャインフォメーションＶＲＭＩは、ＤＶＤドライブ１５に挿入されたＤＶＤ媒体から読み込んでストレージインターフェースに保持されているものをここにそのまま展開する。
【００５３】
ユーザタイトル情報のワークエリアは、さらに複数のユーザタイトル領域（ここでは４９領域）に分割され、さらに情報ポインタのワークエリアも設けられている。この情報ポインタには、さらにタイトル別のユーザタイトル情報ポインタと、ユーザタイトル情報領域の操作フラグが含まれている。
【００５４】
この情報ポインタは、ユーザタイトル情報やユーザストリーム情報を書き込み／読み出し／削除する際に使用される。
【００５５】
たとえば、図９においてタイトル＃２に書き込み要求されたユーザタイトル情報を書き込む場合には、まずユーザタイトル情報操作フラグを１（ユーザタイトル情報操作中）にし、書き込み要求されたタイトル＃２に対応する情報ポインタにポインタを書き込み、指定したポインタ位置からユーザタイトル情報を書き込んだのち、ユーザタイトル情報操作フラグを２（ユーザタイトル情報操作完了）にする。そして、ＤＶＤドライブ１５のトレイを開いたときにＤＶＤ媒体１５ｍにユーザタイトル情報を書き込み、ユーザタイトル情報操作フラグを０（ＤＶＤ媒体から展開されたままの状態）にしたのち情報ポインタのみをＤＶＤ媒体１５ｍに書き込む。
【００５６】
また、図９においてタイトル＃２に書き込んだユーザタイトル情報を読み出す場合には、読み出し要求されたタイトル＃２に対応する情報ポインタを読み出し、この指定されたポインタ位置からユーザタイトル情報を読み出す。
【００５７】
また、図９において記録したタイトル＃２を削除した場合には、ワークエリア操作フラグを１（ワークエリア更新中）にし、削除したタイトル＃２より後のポインタを１タイトル分だけ前に移動し（同図の右図参照）、削除により余ったタイトル＃４９の情報ポインタに０ｘＦＦ（ユーザタイトル情報がなし）を書き込んだのち、ワークエリア操作フラグを２（ワークエリア更新完了）にする。そして、ＤＶＤドライブ１５のトレイを開いたときにＤＶＤ媒体１５ｍにユーザタイトル情報を書き込み、ユーザタイトル情報操作フラグを０（ＤＶＤ媒体から展開されたままの状態）にしたのち情報ポインタのみをＤＶＤ媒体１５ｍに書き込む。ＤＶＤ媒体１５ｍへの書き込みが終了したらワークエリア操作フラグを０（ＤＶＤ媒体から展開されたままの状態）にする。これにより、タイトル＃２の削除操作に連動してユーザタイトル情報も自動的に削除されることになる。
【００５８】
図１０はユーザストリーム情報の書き込み／読み出し／削除する際の情報ポインタの処理手順を示す図であり、同図においてタイトル＃２の所定位置に書き込み要求されたユーザストリーム情報を書き込む場合には、書き込み要求されたタイトル＃２に対応するユーザストリーム情報ポインタにポインタを書き込み、指定したポインタ位置からユーザストリーム情報を書き込む。そして、書き込んだユーザストリーム情報のサイズより次タイトルユーザストリーム情報ポインタを書き込む。
【００５９】
また、図１０においてタイトル＃２に書き込んだユーザストリーム情報を読み出す場合には、読み出し要求されたタイトル＃２に対応するユーザストリーム情報ポインタを読み出し、この指定されたポインタ位置からユーザストリーム情報を読み出す。
【００６０】
また、図１０において記録したタイトル＃２を削除した場合には、ワークエリア操作フラグを１（ワークエリア更新中）にし、削除したタイトル＃２より後のポインタを１タイトル分だけ前に移動し（同図の右図参照）、削除により余ったタイトル＃４９の情報ポインタに０ｘＦＦＦＦＦＦＦＦ（ユーザストリーム情報がなし）を書き込む。最終タイトルを削除した場合には最終タイトルのユーザストリーム情報ポインタを次タイトルユーザストリーム情報ポインタに書き込む。そして、ワークエリア操作フラグを２（ワークエリア更新完了）にし、ＤＶＤドライブ１５のトレイを開いたときにＤＶＤ媒体１５ｍにユーザストリーム情報を書き込み、ＤＶＤ媒体１５ｍへの書き込みが終了したらワークエリア操作フラグを０（ＤＶＤ媒体から展開されたままの状態）にする。これにより、タイトル＃２の削除操作に連動してユーザストリーム情報も自動的に削除されることになる。
【００６１】
図１１はＤＶＤ媒体１５ｍのデータフォーマットの一例を示す図であり、ストリーム領域の先頭にユーザタイトル情報及びユーザストリーム情報などのユーザ情報の記録領域を確保する。ユーザ情報の記録領域としてテーブル領域（ＶＭＧ，ＶＴＳ，ＶＲＭＩ）を使用しないでストリーム領域を使用することで、他の再生装置を用いて再生したり追記したりする場合においても再生互換性及び記録互換性を確保することができる。なお、ストリーム領域の先頭をユーザ情報の記録領域として使用するので、実際のストリーム領域の先頭、同図で言えば５５４Ａの位置をテーブル領域に記録されたテーブルに記録しておく。
【００６２】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００６３】
１００…ＤＶＤ記録装置
１１…符号化手段
１２…多重化手段
１３…ストレージインターフェース
１４…ハードディスクドライブ（第１の記録手段）
１４ｍ…ハードディスク媒体（第１の記録媒体）
１５…ＤＶＤドライブ（第２の記録手段）
１５ｍ…ＤＶＤ媒体（第２の記録媒体）
１６…復号化手段
１７…再生手段
１８…制御手段
１９…第２の外部装置
【図１】
2010192096.tif 000003
【図２】
2010192096.tif 000004
【図３】
2010192096.tif 000005
【図４】
2010192096.tif 000006
【図５】
2010192096.tif 000007
【図６】
2010192096.tif 000008
【図７】
2010192096.tif 000009
【図８】
2010192096.tif 000010
【図９】
2010192096.tif 000011
【図１０】
2010192096.tif 000012
【図１１】
2010192096.tif 000013